(57)【要約】【課題】  パーム椰子種子殻の長期間の貯蔵においても臭気の発生を効果的に抑制することを可能としたＰＫＳの貯蔵方法を提供する。【解決手段】  パーム椰子種子殻２を、例えば、船倉１中に堆積して貯蔵するに際し、酸素含有ガス供給配管３を設けて、上記パーム椰子種子殻の堆積物中に酸素含有ガスを流通せしめる。好ましくは、上記酸素含有ガスの流通量が、標準状態の空気に換算した供給ガス量と上記堆積物の断面積から算出される断面平均流速で０．００１ｍ／秒以上となるように決定することが好ましい。【選択図】  図１
2020065789.tif 000002
【特許請求の範囲】
【請求項１】
パーム椰子種子殻を堆積して貯蔵するに際し、上記パーム椰子種子殻の堆積物中に酸素含有ガスを流通せしめることを特徴とするパーム椰子種子殻の貯蔵方法。
【請求項２】
前記堆積物中の酸素含有ガスの流通量が、標準状態の空気に換算した供給ガス量と上記堆積物の断面積から算出される断面平均流速で０．００１ｍ／秒以上である請求項１記載のパーム椰子種子殻の貯蔵方法。
【請求項３】
前記堆積物の水分量を５〜１５質量％に調整する請求項１又は２に記載の貯蔵方法。
【請求項４】
前記堆積物中の温度を８０℃以下に調整する請求項１〜３のいずれか一項に記載の貯蔵方法。
【請求項５】
前記堆積物の厚さが２ｍ以上である請求項１〜４のいずれか一項に記載の貯蔵方法。
【請求項６】
前記パーム椰子種子殻に、燃焼可能な通気性補助材を混合する請求項１〜５のいずれか一項に記載の貯蔵方法。
【発明の詳細な説明】
【技術分野】
【０００１】
本発明は、パーム椰子種子殻の新規な貯蔵方法に関する。詳しくは、パーム椰子種子殻（以下、「ＰＫＳ」ともいう。）の臭気の発生原因を根本的に解消し、長期間の貯蔵においても臭気の発生を効果的に抑制することを可能としたＰＫＳの貯蔵方法を提供するものである。
【背景技術】
【０００２】
火力発電に使用する石油や石炭等の化石燃料の利用を抑制するため、近年、種々のバイオマス燃料が検討されている。その中に、ＰＫＳがある。上記ＰＫＳは、パーム椰子の果肉から分離され、胚平からパーム核油を搾取した後の殻であり、燃焼時の発熱量は４４００ｋｃａｌ／ｋｇと、木屑と比較しても高い発熱量を有している。
【０００３】
前記パーム椰子の生産量の増大と共に年間１５００万トンのＰＫＳが発生し、その処理が問題となっている中で、該ＰＫＳを大量に処理する手段の一つとして、石炭等の発電用燃料としての利用が検討されている（特許文献１参照）。
【０００４】
ところが、ＰＫＳは、産地で収集され、船等により輸送後荷揚げされて貯蔵庫等に保管されるが、取り扱い時における不快臭が強く、作業環境はもとより、広範囲にわたる周辺環境をも害するという問題を有していた。
【０００５】
前記かかる不快臭を防止する方法として、消臭剤の散布等が検討されているが、安価な燃料として優位性があるＰＫＳに対して、処理費用の増大は経済的に不利となるばかりでなく、その効果も十分とは言えず、臭気対策が実用化に向けての大きな壁となっていた。また、ＰＫＳを炭化処理する方法も提案されており（特許文献２参照）、かかる方法によれば、使用時におけるＰＫＳの臭気は低減できるが、炭化処理は、多大な設備と処理のためのエネルギーを必要する。しかも、上記炭化処理を行うまでには、ＰＫＳを船で輸送した場合、ＰＫＳが貯蔵された船倉からの貯蔵庫への搬入、貯蔵庫からの搬出の作業が存在し、かかる作業における臭気の課題は未だ解消されない。
【０００６】
このように、ＰＫＳの利用において、臭気対策は、実用化に向けての大きな壁となっていた。
【先行技術文献】
【特許文献】
【０００７】
【特許文献１】特開２００３−２６８３９４号公報
【特許文献２】ＷＯ２０１２／０２３４７９号公報
【発明の概要】
【発明が解決しようとする課題】
【０００８】
従って、本発明の目的は、消臭剤を使用することなく、且つ、安価な手段により、長期間の貯蔵においても臭気の発生を効果的に抑制することを可能としたＰＫＳの貯蔵方法を提供することにある。
【課題を解決するための手段】
【０００９】
本発明者らは、ＰＫＳの臭気の原因についての根本的な研究を進めた結果、ＰＫＳの臭気は、ＰＫＳに含まれる殻油（高級脂肪酸）が嫌気性発酵して生成する分解物によるものであること、更には、かかる核油のごく僅かの量の分解生成物によるものであることを見出した。即ち、ＰＫＳ採取時と臭気が発生した後との核油の量を調査した結果、核油の量は殆ど減少していない、換言すれば、嫌気性発酵はごく僅かの核油においても進行していることを確認した。そして、ＰＫＳの臭気は、極めて微量の核油の嫌気性発酵を抑制すればよいとの知見を得た。
【００１０】
上記知見に基づき、更に検討を行った結果、ＰＫＳ中の極めて微量の核油の嫌気性発酵により発生する臭気は、ＰＫＳの堆積物内に酸素含有ガス、例えば空気を流通せしめる操作により、かかる嫌気性発酵を容易に抑制することができこと、更に、ＰＫＳの堆積物は、その形状の特性により、その内部に酸素含有ガスを均一に流通させ易く、これによりＰＫＳの貯蔵時における前記臭気の発生を極めて効果的に防止し得ることを見出し、本発明を完成するに至った。
【００１１】
即ち、本発明は、パーム椰子種子殻を堆積して貯蔵するに際し、上記パーム椰子種子殻の堆積物中に酸素含有ガスを流通せしめることを特徴とするパーム椰子種子殻の貯蔵方法である。
【００１２】
本発明において、前記堆積物中の酸素含有ガスの流通量が、標準状態の空気（酸素濃度２１容量％）に換算した供給ガス量と上記堆積物の断面積から算出される断面平均流速で０．００１ｍ／秒以上となるように行うことが好ましい。
【００１３】
また、貯蔵される前記堆積物の水分量を５〜１５質量％に調整することは、酸素含有ガスを堆積物中により均一に流通せしめることができ好ましい。
【００１４】
更に、前記堆積物中の温度は、８０℃以下に調整することにより嫌気性発酵をより効果的に抑えることができ好ましい。
【００１５】
更にまた。前記パーム椰子種子殻に、燃焼可能な通気性補助材を混合することは、堆積物中の通気をより改善し、堆積物中により均一に酸素含有ガスを流通せしめることができる。
【００１６】
本発明の方法は、前記堆積物の厚さが２ｍ以上である場合に特に有効である。
【発明の効果】
【００１７】
本発明の方法によれば、消臭剤などの使用をすることなく、また、十分な乾燥を行わなくとも、酸素含有ガス（空気）を流通させるという極めて簡易で安価な手段により臭気の発生を効果的に抑制しながらパーム椰子種子殻を長期間にわたり貯蔵することができる。
【図面の簡単な説明】
【００１８】
【図１】本発明を実施するために好適な装置の一態様を示す概略図
【発明を実施するための形態】
【００１９】
本発明において、ＰＫＳは、前記したように、パーム核油を採取後の殻である。上記ＰＫＳは、入手後直ちに本発明の方法を適用することができるが、一般に入手可能なＰＫＳには、パーム椰子房、パーム椰子ファイバー、石、木屑等の異物を含んでいることが多く、これらの異物はできるだけ除去することが好ましい。かかる除去方法は特に限定されないが、メッシュ３０ｍｍ×３０ｍｍ〜メッシュ５０ｍｍ×５０ｍｍ（ＪＩＳ規格３５５３、ＪＩＳ記号ＣＲ―Ｓ）の篩にＰＫＳをかけ、通過分を回収する方法が簡便であり、しかも、十分な除去効果を有する。
【００２０】
また、本発明の貯蔵方法を適用するにあたり、ＰＫＳが湿潤した状態では、通気効率が悪く、酸素含有ガスを均一に流通させることが困難となる場合があるため、ＰＫＳが含有する水分量を２０質量％以下、好ましくは、１５質量％以下に調整しておくことが好ましい。かかる水分量の調整は、公知の乾燥方法、具体的には、天日乾燥、ロータリードライヤー、送風乾燥器などを使用することができる。
【００２１】
尚、ＰＫＳが含有する水分量は少ないほど好ましいが、乾燥に費やす時間や費用を勘案した場合、２質量％、特に、５質量％を下限とすることが好ましい。
【００２２】
本発明の方法は、ＰＫＳを堆積して貯蔵する際に適用される。ＰＫＳを堆積して貯蔵する具体的な態様を例示すれば、ＰＫＳを船舶の船倉に収容して輸送する態様、ＰＫＳをコンテナーやタンクなどの容器に詰めて輸送する態様、ＰＫＳを野積みして保管する態様、ＰＫＳを屋内の倉庫に収容して保管する態様などが挙げられる。
【００２３】
尚、上記野積みの態様のように、上面が解放された貯蔵の態様においては、ＰＫＳの水分量が降雨により増加するのを防止するため、屋根、シート等の覆いを設けることが好ましい。また、貯蔵する容器が密閉容器の場合は、供給した酸素含有ガスを排出するためのガス排出口が適宜設けられる。
【００２４】
上記ＰＫＳの堆積物の厚さが２ｍ以上、特に３ｍ以上である場合、前記嫌気性発酵が起こり易く、本発明はかかる貯蔵において特に効果的である。
【００２５】
但し、上記堆積物の厚みがあまり高くなると後記の酸素含有ガスの流通がし難くなるため、かかる点を考慮してかかる厚みの上限を決定すればよい。また、堆積物の厚み方向の適当な位置に、通気性の支持体、具体的には多孔板などの仕切りを介在させることにより、ガス流速の均一性を向上させる態様が好ましい。
【００２６】
本発明の特徴は、前記ＰＫＳの堆積物に対して、酸素含有ガスを流通させることにある。即ち、ＰＫＳの臭気の生成機構が極めて微量の核油の嫌気性発酵によることを解明した本発明者らは、堆積されたＰＫＳに空気を代表とする酸素含有ガスを流通せしめるだけで、ＰＫＳからの臭気の発生が極端に低下することを見出した。また、この効果は、ＰＫＳが湿った状態でも十分効果があることを確認した。
【００２７】
上記ＰＫＳ堆積物に流通させる酸素含有ガスとして最も経済的なのは空気であり、本発明において空気が最も好適に使用される。また、空気に酸素を混合して酸素濃度を上げて使用することも可能であるが、酸素濃度を上げ過ぎると火災などの危険性が出てくるため、酸素含有ガスの酸素濃度は、５０容量％以下に抑えることが好ましい。
【００２８】
一方、前記酸素含有ガスは、酸素を含有していればよく、例えば、空気を火力発電所等の燃焼設備で助燃ガスとして使用して酸素濃度が低下したガスも酸素含有ガスとして有効に使用することができる。酸素含有ガスの酸素濃度の下限は、特に制限されるものではないが、１容量％、特に５容量％が好ましい。
【００２９】
本発明において、前記ＰＫＳ堆積物に流通させる酸素含有ガスの量は、堆積物の内部が嫌気性雰囲気となることを抑制できる量とすることが好ましい。
【００３０】
具体的には、前記堆積物中の酸素含有ガスの流通量が、標準状態の空気（酸素濃度２１容量％）に換算した単位時間あたりの供給ガス量と上記堆積物の断面積から算出される断面平均流速で０．００１ｍ／秒以上、好ましくは、０．００５ｍ／秒以上となるように調整することが、堆積物に対して十分な酸素を供給し、前記効果を確実に発揮するために好ましい。
【００３１】
尚、上記ＰＫＳ堆積物に酸素含有ガスをあまり多量に流通させても効果は頭打ちとなるばかりでなく、経済的にも不利となり、また、臭気の拡散を助長するため、前記断面平均流速の上限は、１ｍ／秒、特に、０．１ｍ／秒となるように調整することが好ましい。
【００３２】
尚、空気以外の酸素含有ガスを使用する場合は、その酸素濃度に応じて前記断面平均流速を算出すればよい。
【００３３】
本発明において、前記酸素含有ガスの流通量の最適値は、酸素濃度により効果の発現に多少の差があるため、前記ガス流量の範囲で、予め効果を確認しながら決定することが好ましい。
【００３４】
本発明において、前記酸素含有ガスの流通は継続して行うが好ましいが、前記効果が得られる範囲内において断続的に行うこともできる。
【００３５】
また、ＰＫＳ貯蔵時の温度は特に制限されないが、温度が高いほど嫌気性発酵が進み易いため、堆積物中の最高温度が８０℃以下、好ましくは、５０℃以下となるように調整することが好ましい。かかる温度調整は、前記流通ガスによる除熱効果を利用してもよいし、貯蔵容器等に冷却装置を設置して行ってもよい。
【００３６】
本発明において、ＰＫＳ堆積物中への酸素含有ガスの流通は、上記堆積物の底面或いは側面より酸素含有ガスを供給する態様が挙げられるが、酸素含有ガスを堆積物に均一に流通させるためには、前記堆積物の底面より酸素含有ガスを供給することが好ましい。
【００３７】
図１は、本発明を実施するために好適な装置の一態様を示す概略図である。図１に示す装置は、例えば船倉１にバラ積みされて貯蔵されたＰＫＳの堆積物２において、その底面に、ガス供給口を多数配置したパイプを並列に配置して構成された酸素含有ガス供給配管３が設置され、酸素含有ガスが例えばコンプレッサー４を使用して、上記酸素含有ガス供給配管３に供給され、上記堆積物中を流通するようにしたものである。
【００３８】
図において、酸素含有ガス供給配管３は底面のみ配置する態様を示したが、酸素含有ガス供給配管３は、底面と併せて堆積物の中段にも配置し、酸素含有ガスを流通せしめることも可能である。
【００３９】
また、他の態様として、船倉の底面にＰＫＳが通過しない程度の孔を有する多孔板を敷き詰め、該多孔板上にＰＫＳをバラ積みし、多孔板の下より酸素含有ガスを供給することも可能である。
【００４０】
本発明において、前記ＰＫＳの堆積物中の酸素含有ガスの流通性については、ＰＫＳの独特の形状によりある程度の間隙が維持されるため、特に問題とすることはないが、より流通性を向上させるため、燃料として、ＰＫＳと共に燃焼させることが可能な通気性補助材を混合することがより好ましい。上記通気性補助材としては、かさ密度がＰＫＳより小さいものが好適に使用される。具体的には、大鋸屑、木材チップ、稲わら、剪定枝などが好適に使用される。上記通気性補助材は、ＰＫＳと混合して使用する態様、ＰＫＳの堆積物の中間層として設ける態様などが挙げられる。また、ＰＫＳと混合して使用する態様において、通気性補助材の配合量は、５〜５０容量％程度、ＰＫＳの堆積物の中間層として設ける態様においては、通気性補助材の層の厚みは１００〜１０００ｍｍ程度が好適である。
【実施例】
【００４１】
以下、本発明をより具体的に説明するため実施例を示すが本発明はこれらの実施例に限定されるものではない。
【００４２】
実施例１
図１に示す装置を使用して、水分量が１３質量％に調整されたマレーシア産のＰＫＳ（密度１．２ｋｇ／ｍ３）の貯蔵を行った。
【００４３】
尚、船倉のモデルとして、底面に、１列あたり６０個のガス供給口（１０ｍｍφ）を均等に設けたパイプ３０本を均等に配置した、幅１５ｍ×長さ３０ｍ×高さ５ｍの容器を準備して実験を行った。
【００４４】
上記容器に前記ＰＫＳを約３ｍの高さとなるように収容し、前記パイプよりコンプレッサーを使用して空気を供給した。空気の供給量は、断面平均速度が０．０１１１ｍ／秒となるように調整した。
【００４５】
前記ＰＫＳに空気を流通させながら３ヶ月間貯蔵した後、その堆積物の表面５カ所において、市販の臭気センサー（ポータブル型ニオイセンサ  ＸＰ−３２９ＩＩＩＲ（商品名:新コスモス電機株式会社製））で臭気を測定した測定値は、各測定箇所において１００以下（５０程度）であった。
【００４６】
比較例１
実施例１において、空気を流通させなかった以外は同様にして3ヶ月間貯蔵し、その表面５カ所において、前記市販の臭気センサーで臭気を測定した測定値は、各測定箇所において８００を超えていた。
【符号の説明】
【００４７】
１  船倉
２  ＰＫＳの堆積物
３  酸素含有ガス供給配管
４  コンプレッサー
【図１】
2020065789.tif 000003